(57)【特許請求の範囲】
【請求項１】
半導体層と、
前記半導体層の表面の一部に接触して積層されたシリコンを含有するアルミニウム層と、
前記半導体層の表面の一部に接触して積層され、前記アルミニウム層に隣り合って接触している絶縁膜と、を備え、
前記絶縁膜は、前記半導体層の表面に対して垂直方向から観察したときに、絶縁膜本体と、前記絶縁膜本体から前記アルミニウム層側に突出する複数の第１ノジュール析出部と、を有し、
前記垂直方向から観察したときに、前記絶縁膜本体の側面と前記第１ノジュール析出部の側面によって角部が形成されており、
前記第１ノジュール析出部は、前記絶縁膜本体から突出する第１凸部と、前記第１凸部から突出する第２凸部とを含む、半導体装置。
【請求項２】
前記垂直方向から観察したときに、前記絶縁膜本体が環状に配置されている、請求項１に記載の半導体装置。
【請求項３】
前記半導体層の表面から内部に向けて延びるトレンチゲートをさらに備え、
前記垂直方向から観察したときに、前記絶縁膜本体のレイアウトと前記トレンチゲートのレイアウトが一致する、請求項１又は２に記載の半導体装置。
【請求項４】
前記絶縁膜は、前記垂直方向から観察したときに、前記絶縁膜本体から離間して配置されている第２ノジュール析出部をさらに有している、請求項１から３のいずれかに記載の半導体装置。
【請求項５】
前記垂直方向から観察したときに、前記第２ノジュール析出部の側面が屈曲しており、前記屈曲した側面によって前記第２ノジュール析出部に角部が形成されている、請求項４に記載の半導体装置。
【請求項６】
半導体層と、
前記半導体層の表面の一部に接触して積層されたシリコンを含有するアルミニウム層と、
前記半導体層の表面の一部に接触して積層され、前記アルミニウム層に隣り合って接触している絶縁膜と、を備え、
前記絶縁膜は、前記半導体層の表面に対して垂直方向から観察したときに、絶縁膜本体と、前記絶縁膜本体から前記アルミニウム層側に突出する複数の第１ノジュール析出部と、を有し、
前記垂直方向から観察したときに、前記絶縁膜本体の側面と前記第１ノジュール析出部の側面によって角部が形成されており、
前記絶縁膜は、前記垂直方向から観察したときに、前記絶縁膜本体から離間して配置されている第２ノジュール析出部をさらに有している、半導体装置。
【請求項７】
前記垂直方向から観察したときに、前記絶縁膜本体が環状に配置されている、請求項６に記載の半導体装置。
【請求項８】
前記半導体層の表面から内部に向けて延びるトレンチゲートをさらに備え、
前記垂直方向から観察したときに、前記絶縁膜本体のレイアウトと前記トレンチゲートのレイアウトが一致する、請求項６又は７に記載の半導体装置。
【請求項９】
前記垂直方向から観察したときに、前記第２ノジュール析出部の側面が屈曲しており、前記屈曲した側面によって前記第２ノジュール析出部に角部が形成されている、請求項６から８のいずれかに記載の半導体装置。
【発明の詳細な説明】
【技術分野】
【０００１】
本明細書に開示の技術は、シリコン層の表面に積層されたアルミニウム層を備える半導体装置に関する。
【背景技術】
【０００２】
近年の半導体装置では、電極の材料としてアルミニウムが多く用いられている。このような半導体装置では、シリコン層の表面にアルミニウム層が積層されている。この構成では、積層されたシリコン層とアルミニウム層とを接合するために加熱処理を行う際に、アルミニウムがシリコン層の表面からシリコン層の内部に突起状に入り込むことがある。この現象は一般的にアロイスパイクと呼ばれている。このようなアロイスパイクを抑制するために、アルミニウム層に予め僅かな量のシリコンを添加することがある。しかしながら、アルミニウム層にシリコンを添加すると、アロイスパイクを抑制することはできるものの、アルミニウム層を加熱処理したときに、アルミニウム層に含まれるシリコンがアルミニウム層の下のシリコン層の表面にノジュールとして析出することがある。このようなノジュールが析出すると、ノジュールにより半導体装置の通電が阻害され、電気抵抗が大きくなることがある。
【先行技術文献】
【特許文献】
【０００３】
【特許文献１】特開平６−１６３７１９号公報
【発明の概要】
【発明が解決しようとする課題】
【０００４】
特許文献１には、ノジュールの析出を抑制する技術が開示されている。特許文献１の技術は、シリコン層の表面を被覆する絶縁膜にコンタクトホールを形成する工程と、コンタクトホール内に露出したシリコン層の表面をシリコンを含まない純粋なアルミニウム層で被覆する工程と、純粋なアルミニウム層の上にシリコンを含むアルミニウム・シリコン層を形成する工程と、アルミニウム層とアルミニウム・シリコン層とを同時にエッチングして電極配線を形成する工程と、を備えている。しかしながら特許文献１の技術ではノジュールが析出する位置がばらつき、予期せぬ位置にノジュールが析出してしまう問題があった。そこで本明細書は、シリコンノジュールの析出位置を制御することができる半導体装置を提供することを目的とする。
【課題を解決するための手段】
【０００５】
本明細書に開示する半導体装置は、半導体層と、前記半導体層の表面の一部に接触して積層されたシリコンを含有するアルミニウム層と、前記半導体層の表面の一部に接触して積層され、前記アルミニウム層に隣り合って接触している絶縁膜と、を備えている。前記絶縁膜は、前記半導体層の表面に対して垂直方向から観察したときに、絶縁膜本体と、前記絶縁膜本体から前記アルミニウム層側に突出する複数の第１ノジュール析出部と、を有している。前記垂直方向から観察したときに、前記絶縁膜本体の側面と前記第１ノジュール析出部の側面によって角部が形成されている。
【０００６】
このような構成によれば、アルミニウム層を加熱したときに、アルミニウム層に含まれるシリコンがノジュール（シリコンの小塊）として析出する。このとき、上述の半導体装置によれば、絶縁膜本体の側面と第１ノジュール析出部の側面により角部が形成されているので、この角部にシリコンのノジュールの核ができやすく、この核を中心にしてノジュールが集中的に析出する。このように、絶縁膜に角部を形成することにより、シリコンのノジュールを角部に集めることができ、シリコンのノジュールを偏在させることができる。これにより、ノジュールの析出位置を制御することができる。
【０００７】
上記半導体装置において、前記第１ノジュール析出部は、前記絶縁膜本体から突出する第１凸部と、前記第１凸部から突出する第２凸部とを含んでもよい。
【０００８】
また、前記垂直方向から観察したときに、前記絶縁膜本体が環状に配置されていてもよい。
【０００９】
上記半導体装置は、前記半導体層の表面から内部に向けて延びるトレンチゲートをさらに備えていてもよい。また、前記垂直方向から観察したときに、前記絶縁膜本体のレイアウトと前記トレンチゲートのレイアウトが一致していてもよい。
【００１０】
また、前記絶縁膜は、前記垂直方向から観察したときに、前記絶縁膜本体から離間して配置されている第２ノジュール析出部をさらに有していてもよい。
【００１１】
また、前記垂直方向から観察したときに、前記第２ノジュール析出部に角部が形成されていてもよい。
【図面の簡単な説明】
【００１２】
【図１】実施形態に係る半導体装置の断面図である。
【図２】図１のII−II断面図である。
【図３】実施形態に係る半導体装置の要部を拡大して示す図である。
【図４】他の実施形態に係る半導体装置の断面図である。
【図５】図４のV−V断面図である。
【図６】更に他の実施形態に係る半導体装置の図５に対応する断面図である。
【図７】更に他の実施形態に係る半導体装置の要部を拡大して示す図である。
【図８】第２ノジュール析出部の平面図である。
【図９】第２ノジュール析出部の平面図である。
【発明を実施するための形態】
【００１３】
以下、実施形態について添付図面を参照して説明する。図１に示すように、本実施形態に係る半導体装置１は、シリコン層２（半導体層の一例）と、シリコン層２の表面に積層された表面側アルミニウム層３と、を備えている。また、半導体装置１は、シリコン層２の表面に積層された絶縁膜５を備えている。
【００１４】
シリコン層２は、シリコンを主成分としており、ｎ型のドリフト領域４１と、ｎ型のコンタクト領域４２とを備えている。コンタクト領域４２のｎ型の不純物濃度は、ドリフト領域４１のｎ型の不純物濃度よりも高い。シリコン層２の表面側（図１の上側）がアノード側であり、裏面側（図１の下側）がカソード側である。
【００１５】
表面側アルミニウム層３の中央部は、シリコン層２の上に配置されており、シリコン層２に対する電極になる。表面側アルミニウム層３はシリコン層２のコンタクト領域４２に接触している。表面側アルミニウム層３はシリコン層２の一部に接触している。表面側アルミニウム層３の端部は絶縁膜５の上に配置されており、絶縁膜５の表面に接触している。表面側アルミニウム層３は、例えばスパッタリング法により形成される。表面側アルミニウム層３は、アルミニウムを主成分として含有しており、シリコンを副成分として含有している。表面側アルミニウム層３におけるシリコンの含有率は１０重量％未満である。表面側アルミニウム層３に含まれるシリコンは、表面側アルミニウム層３がその下のシリコン層２に入り込むアロイスパイクと呼ばれる現象を抑制するためのものである。表面側アルミニウム層３に含まれるシリコンは、表面側アルミニウム層３が加熱されたときにノジュール（シリコンの小塊）として析出する。
【００１６】
絶縁膜５は、シリコン層２と表面側アルミニウム層３の間に配置されている。シリコン層２の上に絶縁膜５が配置され、絶縁膜５の上に表面側アルミニウム層３が配置されている。絶縁膜５は、シリコン層２の表面を被覆している。絶縁膜５はシリコン層２の表面の一部に接触している。絶縁膜５は、例えば二酸化ケイ素（ＳｉＯ２）からなる膜であり、シリコン層２の表面を熱酸化することによって形成することができる。絶縁膜５は、略均一な膜厚で成膜されている。
【００１７】
絶縁膜５を平面視したときの構成について説明する。図２は、シリコン層２の表面に対して垂直方向から観察したときの図である。図２に示すように、絶縁膜５は、表面側アルミニウム層３に隣り合って接触している。絶縁膜５は、表面側アルミニウム層３と接触する絶縁膜本体１０と、絶縁膜本体１０から表面側アルミニウム層３側に突出する複数の第１ノジュール析出部１１とを備えている。また、絶縁膜５は、絶縁膜本体１０から離間した位置に配置されている複数の第２ノジュール析出部１２を備えている。第１ノジュール析出部１１と第２ノジュール析出部１２は互いに離間した位置に配置されている。
【００１８】
絶縁膜本体１０は、四角形の環状に配置されている。絶縁膜本体１０は、図３に示すように、側面２０を有している。絶縁膜本体１０の側面２０は、表面側アルミニウム層３に面しており、表面側アルミニウム層３に接触している。絶縁膜本体１０に囲まれた部分にコンタクトホール１５が形成されている。コンタクトホール１５からシリコン層２のコンタクト領域４２が露出しており、露出したコンタクト領域４２に表面側アルミニウム層３が接触している。
【００１９】
複数の第１ノジュール析出部１１は、互いに間隔をあけて並んで配置されており、シリコン層２の上に点在している。各第１ノジュール析出部１１は、四角形状に形成されている。第１ノジュール析出部１１は、側面２１を有している。側面２１は、絶縁膜本体１０の側面２０と直交する方向に延びる２つの面と、絶縁膜本体１０の側面２０と平行な方向に延びる１つの面とを有している。第１ノジュール析出部１１の側面２１は、表面側アルミニウム層３に面しており、表面側アルミニウム層３に接触している。第１ノジュール析出部１１の側面２１は、絶縁膜本体１０の側面２０と交わっている。絶縁膜本体１０の側面２０と第１ノジュール析出部１１の側面２１が交わる部分に第１角部３１が形成されている。第１角部３１は、絶縁膜本体１０と第１ノジュール析出部１１の接合部分に形成さる。第１角部３１には表面側アルミニウム層３が接触している。
【００２０】
第１角部３１の角度は９０°（直交）に限定されるものではない。第１角部３１の角度は１８０°未満に設定されている。好ましくは、第１角部３１の角度は９０°未満に設定されている。第１角部３１には、表面側アルミニウム層３が加熱されたときにシリコンのノジュールが集中的に析出しやすい。第１ノジュール析出部１１の側面２１と絶縁膜本体１０の側面２０によって囲まれた部分に凹部３６が形成されている。凹部３６には表面側アルミニウム層３が充填されている。
【００２１】
複数の第２ノジュール析出部１２は、互いに間隔をあけて並んで配置されており、シリコン層２の上に点在している。第２ノジュール析出部１２は、環状の絶縁膜本体１０の内側（コンタクトホール１５の内部）に配置されている。第２ノジュール析出部１２は、第１ノジュール析出部１１よりもコンタクトホール１５の中心部に近い位置に配置されている一方、コンタクトホール１５の中心部を避けた位置に配置されている。第２ノジュール析出部１２の位置は、コンタクトホール１５の中心部（コンタクト領域４２の中心部）にノジュールが析出しないように、コンタクトホール１５の中心部から離れていることが好ましい。一方、第２ノジュール析出部１２の位置は、コンタクトホール１５の中心部における表面側アルミニウム層３に含まれるシリコンのノジュールを第２ノジュール析出部１２に析出させるために、コンタクトホール１５の中心部から離れすぎていないことが好ましい。そこで、第２ノジュール析出部１２とコンタクトホール１５の中心部の間の距離は３μｍ〜１０μｍであることが好ましい。各第２ノジュール析出部１２は、四角形状に形成されている。第２ノジュール析出部１２は、側面２２を有している。第２ノジュール析出部１２の側面２２は、表面側アルミニウム層３に面しており、表面側アルミニウム層３に接触している。
【００２２】
次に、半導体装置の製造方法の一例について説明する。上記の半導体装置１を製造するときは、まずシリコン層２の表面に絶縁膜５を積層する。より詳細には、まずシリコン層２の表面を熱酸化することにより酸化膜を形成する。次に、形成した酸化膜の不要な部分をエッチングにより除去する。具体的には、絶縁膜５の絶縁膜本体１０、第１ノジュール析出部１１および第２ノジュール析出部１２が残存し、コンタクトホール１５が形成されるように酸化膜の不要な部分を除去する。これにより、シリコン層２の上に絶縁膜５が形成される。
【００２３】
続いて、シリコン層２の表面に表面側アルミニウム層３を積層する。表面側アルミニウム層３は、スパッタリング法により形成することができる。表面側アルミニウム層３は、絶縁膜５の表面にも形成される。また、形成した表面側アルミニウム層３の不要な部分をエッチングにより除去する。これにより、シリコン層２及び絶縁膜５の上に表面側アルミニウム層３が形成される。絶縁膜５はシリコン層２と表面側アルミニウム層３の間に配置される。
【００２４】
次に、シリコン層２、絶縁膜５、および表面側アルミニウム層３を積層した状態で全体を加熱処理する。加熱処理の温度は約４００℃〜６００℃である。加熱処理によりシリコン層２と表面側アルミニウム層３との接合部分で合金が形成され、シリコン層２と表面側アルミニウム層３が接合する。これによりシリコン層２の上にアルミニウムの電極が形成される。
【００２５】
上述の半導体装置１によれば、表面側アルミニウム層３を加熱したときに、表面側アルミニウム層３に含まれるシリコンがノジュール（シリコンの小塊）として析出する。シリコンのノジュールは、例えば、絶縁膜本体１０の側面２０、第１ノジュール析出部１１の側面２１、および第２ノジュール析出部１２の側面２２等に付着するように析出する。このとき、上述の半導体装置１によれば、絶縁膜本体１０の側面２０と第１ノジュール析出部１１の側面２１により第１角部３１が形成されているので、この第１角部３１にシリコンのノジュールが集中的に析出する。このように、上述の半導体装置１によれば、絶縁膜５に第１角部３１を形成することにより、シリコンのノジュールを第１角部３１に集めることができ、シリコンのノジュールを偏在させることができる。これにより、第１角部３１を形成することによってノジュールの析出位置を制御することができる。また、ノジュールの析出位置を制御できるので、例えばコンタクト領域４２における抵抗や寄生素子の動作を抑制しやすくなる。また、絶縁膜５を利用して、絶縁膜本体１０の側面２０と第１ノジュール析出部１１の側面２１により第１角部３１を形成するだけなので、ノジュールを集めるための構成を簡易な構成にすることができる。
【００２６】
以上、一実施形態について説明したが、具体的な態様は上記実施形態に限定されるものではない。半導体装置の他の例としてＩＧＢＴ（Insulated Gate Bipolar Transistor）を用いてもよい。他の実施形態に係る半導体装置（ＩＧＢＴ）１では、図４に示すように、シリコン層２が、ｐ型のコレクタ領域１４６と、コレクタ領域１４６の上に積層されたｎ型のバッファ領域１４３と、バッファ領域１４３の上に積層されたｎ型のドリフト領域１４１と、ドリフト領域１４１の上に積層されたｐ型のボディ領域１４４と、ボディ領域１４４の上に積層されたｎ型のエミッタ領域１４５と、ボディ領域１４４の上に積層されたｐ型のコンタクト領域１４２とを備えている。シリコン層２のエミッタ領域１４５及びコンタクト領域１４２が、絶縁膜５に形成されたコンタクトホール１５から露出している。表面側アルミニウム層３は、コンタクトホール１５から露出するエミッタ領域１４５及びコンタクト領域１４２に接触している。コレクタ領域１４６の裏面には電極になる裏面側アルミニウム層４が積層されている。
【００２７】
また、図４に示す半導体装置１は、シリコン層２の表面から内部に延びるトレンチゲート５０を備えている。トレンチゲート５０は、シリコン層２の表面から内部に延びるトレンチ５１と、トレンチ５１の内部に配置されたゲート電極５２と、ゲート電極５２を被覆するゲート絶縁膜５３とを備えている。絶縁膜５がトレンチゲート５０の表面に配置されており、トレンチゲート５０を被覆している。
【００２８】
絶縁膜５を平面視したときの構成について説明する。図５は、シリコン層２の表面に対して垂直方向から観察したときの図である。図５に示すように、絶縁膜５の絶縁膜本体１０は、四角形の環状に配置されている。同様に、トレンチゲート５０が四角形の環状に形成されている。絶縁膜本体１０のレイアウトとトレンチゲート５０のレイアウトが一致しており、絶縁膜本体１０がトレンチゲート５０を覆っている。絶縁膜５の第２ノジュール析出部１２は、エミッタ領域１４５及びコンタクト領域１４２を避けた位置に配置されている。なお、図４及び図５において、図１及び図２と同様の構成については同一の符号を付して説明を省略する。
【００２９】
また、図４に示す実施形態ではトレンチゲート５０が環状に配置されていたが、この構成に限定されるものではなく、図６に示すように、複数のトレンチゲート５０がストライプ状に配置されている構成であってもよい。各トレンチゲート５０は、シリコン層２の表面に対して垂直方向から観察したときに、直線状に延びている。複数のトレンチゲート５０は、同じ方向に延びるように並んで配置されている。なお、図６において、図５と同様の構成については同一の符号を付して説明を省略する。
【００３０】
また、上記では半導体装置の例としてＩＧＢＴを用いて説明したが、この構成に限定されるものではなく適宜変更可能であり、例えば半導体装置としてＭＯＳＦＥＴ（Metal Oxide Semiconductor Field Effect Transistor）やショットキーバリアダイオード（ＳＢＤ）等を用いてもよい。
【００３１】
また、上記実施形態では第１ノジュール析出部１１が四角形状であったが、この構成に限定されるものではない。他の実施形態では図７に示すように、第１ノジュール析出部１１が、絶縁膜本体１０から表面側アルミニウム層３側に突出する第１凸部６１と、第１凸部６１から突出する第２凸部６２とを備えていてもよい。第１凸部６１および第２凸部６２は一体的に形成されている。第１凸部６１および第２凸部６２は、それぞれ、四角形状に形成されている。第１凸部６１は側面２５を有しており、第２凸部６２は側面２６を有している。第１凸部６１の側面２５および第２凸部６２の側面２６は、それぞれ、絶縁膜本体１０の側面２０と直交する方向に延びる面と、絶縁膜本体１０の側面２０と平行な方向に延びる面とを有している。第１凸部６１の側面２５および第２凸部６２の側面２６は、それぞれ、第１ノジュール析出部１１の側面２１の一部を形成している。側面２５、２６により第１ノジュール析出部１１の側面２１が形成されている。
【００３２】
側面２５、２６は、表面側アルミニウム層３に面しており、表面側アルミニウム層３に接触している。第１凸部６１の側面２５は、絶縁膜本体１０の側面２０と交わっている。絶縁膜本体１０の側面２０と第１凸部６１の側面２５が交わる部分に第１角部３１が形成されている。第２凸部６２の側面２６は、第１凸部６１の側面２５と交わっている。第１凸部６１の側面２５と第２凸部６２の側面２６が交わる部分に第２角部３２が形成されている。第２角部３２は、第１凸部６１と第２凸部６２の接合部分に形成される。第２角部３２には表面側アルミニウム層３が接触している。第２角部３２の角度は９０°（直交）に限定されるものではない。第２角部３２の角度は１８０°未満に設定されている。好ましくは、第２角部３２の角度は９０°未満に設定されている。第２角部３２には、表面側アルミニウム層３が加熱されたときにシリコンのノジュールが集中的に析出しやすい。
【００３３】
また、上記実施形態では第２ノジュール析出部１２が四角形状であったが、この構成に限定されるものではなく、例えば図８及び図９に示すように、第２ノジュール析出部１２を様々な形状にすることができる。図８及び図９に示す実施形態では、それぞれ、第２ノジュール析出部１２は、シリコン層２の表面に対して垂直方向から観察したときに、複数の第３角部３３を有している。第２ノジュール析出部１２の側面２２が屈曲しており、複数の第３角部３３を形成している。各第３角部３３の角度は１８０°未満に設定されている。好ましくは、第３角部３３の角度は９０°未満に設定されている。この構成によれば、第３角部３３にシリコンのノジュールが集中的に析出しやすい。
【００３４】
また、上記実施形態では第２ノジュール析出部１２が形成されていたが、この構成に限定されず、第２ノジュール析出部１２を省略することもできる。
【００３５】
また、第１ノジュール析出部１１及び第２ノジュール析出部１２の構成は上記実施形態に限定されるものではない。例えば、第１ノジュール析出部１１及び第２ノジュール析出部１２の表面に凹部（図示省略）が形成されていてもよい。この構成によれば、表面に形成された凹部にシリコンのノジュールを析出させることができる。
【００３６】
また、上記実施形態では半導体層の一例としてシリコン層２を用いて説明したが、この構成に限定されるものではなく、半導体層として例えば炭化ケイ素（ＳｉＣ）等の層を用いてもよい。
【００３７】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３８】
１；半導体装置
２；シリコン層
３；表面側アルミニウム層
４；裏面側アルミニウム層
５；絶縁膜
１０；絶縁膜本体
１１；第１ノジュール析出部
１２；第２ノジュール析出部
１５；コンタクトホール
２０；側面
２１；側面
２２；側面
２５；側面
２６；側面
３１；第１角部
３２；第２角部
３３；第３角部
３６；凹部
４１；ドリフト領域
４２；コンタクト領域
５０；トレンチゲート
５１；トレンチ
５２；ゲート電極
５３；ゲート絶縁膜
６１；第１の凸部
６２；第２の凸部
１４１；ドリフト領域
１４２；コンタクト領域
１４３；コレクタ領域
１４４；ボディ領域
１４５；エミッタ領域
【図１】
0005998169.tif 000002
【図２】
0005998169.tif 000003
【図３】
0005998169.tif 000004
【図４】
0005998169.tif 000005
【図５】
0005998169.tif 000006
【図６】
0005998169.tif 000007
【図７】
0005998169.tif 000008
【図８】
0005998169.tif 000009
【図９】
0005998169.tif 000010